(57)【特許請求の範囲】
【請求項１】
実装基板に対向可能な実装面と該実装面に対向配置された板状コア対向面とをそれぞれ有する一対の鍔部と、該一対の鍔部を互いに連結する巻芯部と、を備えるドラムコアと、
略板状をなし長手方向の両端部が該一対の鍔部の該板状コア対向面にそれぞれ固着された板状コアと、
端子金具からなり該鍔部に配置された金属端子と、
該巻芯部に巻回され一端部及び他端部が該金属端子に電気的に接続されて継線部をなす導線と、を備え、
該鍔部の実装面には該板状コア対向面の方向へ窪んだ凹部が形成され、
該金属端子は、該鍔部の該実装面上に配置された実装部と、該実装部から該凹部内へ延出し該凹部内に配置されて該導線を保持する導線保持部とを有し、
該導線保持部は、該凹部を画成する鍔部の面であって該実装面に接続された面上に配置され、該継線部よりも該巻芯部側において該導線を保持し、
全ての該継線部は該凹部内又は凹部近傍に配置されていることを特徴とするコイル部品。
【請求項２】
該導線保持部は、該実装部と一体で構成され該凹部内において折り曲げられた端子金具の一部からなる折り曲げ片により構成されることを特徴とする請求項１記載のコイル部品。
【請求項３】
該折り曲げ片は、該凹部を画成する鍔部の面であって該実装面に接続された面上において折り曲げられていることを特徴とする請求項２記載のコイル部品。
【請求項４】
該金属端子は、該巻芯部の軸方向における該鍔部の端面に配置された端面部を有することを特徴とする請求項１乃至請求項３のいずれか一記載のコイル部品。
【請求項５】
該金属端子は、該端面部に接続され該鍔部の該板状コア対向面に係止される被係止部を有し、該被係止部の面積は該実装部の面積よりも小さいことを特徴とする請求項４記載のコイル部品。
【請求項６】
該鍔部の該板状コア対向面には該実装面の方向へ窪んだ対向面凹部が形成され、該被係止部は対向面凹部内に収容されていることを特徴とする請求項５記載のコイル部品。
【請求項７】
該端面部は、該鍔部の端面上において一の方向に延出する端面部基部と、該端面部基部に交差する方向へ該端面部基部から延出する端面部延出部とを有することを特徴とする請求項４乃至請求項６のいずれか一記載のコイル部品。
【請求項８】
該金属端子の一部であって該継線部が電気的に接続されて継線された部分は、該端面部延出部から延出した該金属端子の部分からなることを特徴とする請求項７記載のコイル部品。
【請求項９】
該金属端子の一部であって該継線部が電気的に接続されて継線された部分は、該実装部から延出した該金属端子の部分からなることを特徴とする請求項１乃至請求項７のいずれか一記載のコイル部品。
【請求項１０】
該鍔部の端面の一部であって該金属端子の該端面部が配置されている部分以外の部分の全体は、該巻芯部の軸方向において該巻芯部から離間する方向へ突出していることを特徴とする請求項４乃至請求項９のいずれか一記載のコイル部品。
【請求項１１】
該鍔部は巻芯部の軸方向に直交する面で切った断面が長方形状をなし該長方形の一の辺が該実装面を構成し、該凹部は、該長方形の一の辺の両端の角を切欠いた形状をなしていることを特徴とする請求項１乃至請求項１０のいずれか一記載のコイル部品。
【発明の詳細な説明】
【技術分野】
【０００１】
本発明はコイル部品に関し、特に、ドラムコアと板状コアとを有するコイル部品に関する。
【背景技術】
【０００２】
従来よりドラムコアに導線が巻回されて構成されたコイル部品が知られている。ドラムコアは、巻芯部とその両端に設けられた鍔部とを有している。巻芯部には絶縁被覆された銅線たる導線が巻回されている。鍔部には電極が設けられており、電極には導線の一端部、他端部が電気的に接続され継線されている。また、巻芯部の両端の鍔部の一部であって導線の一端部、他端部が電気的に接続され継線されている部分に対向するように配置された板状コアを備えている。このようなコイル部品は、例えば、特開２００６−４９７９号公報（特許文献１）に記載されている。
【先行技術文献】
【特許文献】
【０００３】
【特許文献１】特開２００６−４９７９号公報
【発明の概要】
【発明が解決しようとする課題】
【０００４】
ドラムコアの鍔部と板状コアとが対向する部分における鍔部と板状コアとの接触面積は、大きければ大きいほどコイル部品のインダクタンス特性やインピーダンス特性が向上する。しかし、上述の従来のコイル部品では、鍔部の一部であって板状コアに対向する部分には電極が配置され、当該電極には導線の一端部、他端部が電気的に接続され継線されていたため、鍔部と板状コアとの接触面積を大きくすることには限界があった。
【０００５】
上記目的を達成するために、本発明は、実装基板に対向可能な実装面と該実装面に対向配置された板状コア対向面とをそれぞれ有する一対の鍔部と、該一対の鍔部を互いに連結する巻芯部と、を備えるドラムコアと、略板状をなし長手方向の両端部が該一対の鍔部の該板状コア対向面にそれぞれ固着された板状コアと、端子金具からなり該鍔部に配置された金属端子と、該巻芯部に巻回され一端部及び他端部が該金属端子に電気的に接続されて継線部をなす導線と、を備え、該鍔部の実装面には該板状コア対向面の方向へ窪んだ凹部が形成され、該金属端子は、該鍔部の該実装面上に配置された実装部と、該実装部から該凹部内へ延出し該凹部内に配置されて該導線を保持する導線保持部とを有し、該導線保持部は、該凹部を画成する鍔部の面であって該実装面に接続された面上に配置され、該継線部よりも該巻芯部側において該導線を保持し、全ての該継線部は該凹部内又は凹部近傍に配置されているコイル部品を提供している。
【課題を解決するための手段】
【０００６】
上記目的を達成するために、本発明は、実装基板に対向可能な実装面と該実装面に対向配置された板状コア対向面とをそれぞれ有する一対の鍔部と、該一対の鍔部を互いに連結する巻芯部と、を備えるドラムコアと、略板状をなし長手方向の両端部が該一対の鍔部の該板状コア対向面にそれぞれ固着された板状コアと、端子金具からなり該鍔部に配置された金属端子と、該巻芯部に巻回され一端部及び他端部が該金属端子に電気的に接続されて継線部をなす導線と、を備え、該鍔部の実装面には該板状コア対向面の方向へ窪んだ凹部が形成され、該金属端子は、該鍔部の該実装面上に配置された実装部と、該実装部から該凹部内へ延出し該凹部内に配置されて該導線を保持する導線保持部とを有し、全ての該継線部は該凹部内又は凹部近傍に配置されているコイル部品を提供している。
【０００７】
鍔部の実装面には板状コア対向面の方向へ窪んだ凹部が形成され、金属端子は、鍔部の実装面上に配置された実装部と、実装部から凹部内へ延出し凹部内に配置されて導線を保持する導線保持部とを有し、全ての継線部は凹部内又は凹部近傍に配置されているため、導線の継線部を板状コア対向面上に配置させずに済み、継線部の存在により板状コア対向面の一部であって板状コアに固着され接触する部分の面積が小さくなることを回避することができる。
【０００８】
ここで、該導線保持部は、該実装部と一体で構成され該凹部内において折り曲げられた端子金具の一部からなる折り曲げ片により構成されることが好ましい。
【０００９】
導線保持部は、実装部と一体で構成され凹部内において折り曲げられた端子金具の一部からなる折り曲げ片により構成されるため、折り曲げ片からなる簡単な構成で導線を保持することができる。
【００１０】
また、該折り曲げ片は、該凹部を画成する鍔部の面であって該実装面に接続された面上において折り曲げられていることが好ましい。
【００１１】
折り曲げ片は、凹部を画成する鍔部の面であって実装面に接続された面上において折り曲げられているため、折り曲げ片を凹部内に配置させることができ、且つ凹部を画成する鍔部の面であって実装面に接続された面上に配置させることができる。このため、寸法交差を気にせず折り曲げ片を配置でき、また、折り曲げ片と鍔部との間に間隙が形成されず、これらのことにより安定して導線を保持することができる。
【００１２】
また、該金属端子は、該巻芯部の軸方向における該鍔部の端面に配置された端面部を有することが好ましい。
【００１３】
金属端子は、巻芯部の軸方向における鍔部の端面に配置された端面部を有するため、コイル部品を実装基板に実装したときに端面部にはんだフィレットを形成することができる。
【００１４】
また、該金属端子は、該端面部に接続され該鍔部の該板状コア対向面に係止される被係止部を有し、該被係止部の面積は該実装部の面積よりも小さいことが好ましい。
【００１５】
金属端子は、端面部に接続され鍔部の板状コア対向面に係止される被係止部を有し、被係止部の面積は実装部の面積よりも小さいため、被係止部の存在により板状コア対向面の一部であって板状コアに固着され接触する部分の面積が小さくなることを極力回避することができる。
【００１６】
また、該鍔部の該板状コア対向面には該実装面の方向へ窪んだ対向面凹部が形成され、該被係止部は対向面凹部内に収容されていることが好ましい。
【００１７】
鍔部の板状コア対向面には実装面の方向へ窪んだ対向面凹部が形成され、被係止部は対向面凹部内に収容されているため、板状コアの方向へ係止部が板状コア対向面から突出することを防止することができる。このため、板状コア対向面の一部であって対向面凹部以外の部分の全体で板状コアに接触することができる。
【００１８】
また、該端面部は、該鍔部の端面上において一の方向に延出する端面部基部と、該端面部基部に交差する方向へ該端面部基部から延出する端面部延出部とを有することが好ましい。
【００１９】
端面部は、鍔部の端面上において一の方向に延出する端面部基部と、端面部基部に交差する方向へ端面部基部から延出する端面部延出部とを有するため、端面部の面積をより大きくすることができ、鍔部の端面との接着面積をより大きくすることができる。このためより強固に金属端子を鍔部に固定することができる。
【００２０】
また、該金属端子の一部であって該継線部が電気的に接続されて継線された部分は、該端面部延出部から延出した該金属端子の部分からなることが好ましい。
【００２１】
金属端子の一部であって継線部が電気的に接続されて継線された部分は、端面部延出部から延出した金属端子の部分からなるため、金属端子が複雑で込み入った構造となることを回避することができる。このため実装部に対して金属端子が安定して配置された構成とすることができ、金属端子に導線の一端部、他端部をレーザ溶接して電気的に接続して継線する際に、安定して溶接部を形成することができる。
【００２２】
また、該金属端子の一部であって該継線部が電気的に接続されて継線された部分は、該実装部から延出した金属端子の部分からなることが好ましい。
【００２３】
金属端子の一部であって継線部が電気的に接続されて継線された部分は、実装部から延出した金属端子の部分からなるため、金属端子の一部であって継線部が電気的に接続されて継線された部分と継線部とが溶融してなる溶接玉と、導線保持部とを凹部内に配置させることができる。
【００２４】
また、該鍔部の端面の一部であって該金属端子の該端面部が配置されている部分以外の部分の全体は、該巻芯部の軸方向において該巻芯部から離間する方向へ突出していることが好ましい。
【００２５】
鍔部の端面の一部であって金属端子の端面部が配置されている部分以外の部分の全体は、巻芯部の軸方向において巻芯部から離間する方向へ突出しているため、突出している分だけ板状コア対向面の面積が大きくなり、板状コア対向面の板状コアとの接触面積を大きくすることができる。また、コアのボリュームアップを図ることができる。また、当該突出している部分を、金属端子の位置決めをするための部分とすることができる。
【００２６】
また、該鍔部は巻芯部の軸方向に直交する面で切った断面が長方形状をなし該長方形の一の辺が該実装面を構成し、該凹部は、該長方形の一の辺の両端の角を切欠いた形状をなしていることが好ましい。
【００２７】
鍔部は巻芯部の軸方向に直交する面で切った断面が長方形状をなし長方形の一の辺が実装面を構成し、凹部は、長方形の一の辺の両端の角を切欠いた形状をなしているため、当該切欠かれた部分を通して導線を巻芯部から金属端子へ引き出すことができ、導線を巻芯部から金属端子へ引き出す作業を容易とすることができる。
【発明の効果】
【００２８】
以上により本発明は、ドラムコアの鍔部と板状コアの鍔部とが対向する部分におけるドラムコアの鍔部と板状コアの鍔部との接触面積を大きく確保することができるコイル部品を提供することができる。
【図面の簡単な説明】
【００２９】
【図１】本発明の第１の実施の形態によるコイル部品を示す斜視図。
【図２】本発明の第１の実施の形態によるコイル部品のドラムコアを示す斜視図。
【図３】本発明の第１の実施の形態によるコイル部品の金属端子を示す斜視図。
【図４】本発明の第１の実施の形態によるコイル部品の金属端子に導線を溶接する様子を示す図であり（ａ）は側面図、（ｂ）は底面図。
【図５】本発明の第１の実施の形態によるコイル部品の金属端子にはんだフィレットが引かれた様子を示す正面図。
【図６】本発明の第２の実施の形態によるコイル部品を示す斜視図。
【図７】本発明の第２の実施の形態によるコイル部品のドラムコアを示す図であり、（ａ）は平面図、（ｂ）は側面図、（ｃ）は正面図。
【図８】本発明の第２の実施の形態によるコイル部品の金属端子を示す図であり、（ａ）は正面図、（ｂ）は側面図、（ｃ）は底面図。
【図９】本発明の第１の実施の形態によるコイル部品の変形例を示す斜視図。
【図１０】本発明の第１の実施の形態によるコイル部品の金属端子の変形例を示す図であり、（ａ）は正面図、（ｂ）は右側面図、（ｃ）は左側面図、（ｄ）は平面図（ｅ）は底面図。
【図１１】本発明の第１の実施の形態によるコイル部品の金属端子の変形例を示す斜視図。
【発明を実施するための形態】
【００３０】
本発明の第１の実施の形態によるコイル部品について図１〜図３を参照しながら説明する。第１の実施の形態に係るコイル部品１は、具体的には小型化が図られた車載用のコモンモードフィルタである。コイル部品１は、図１に示すように、ドラムコア１０と、ドラムコア１０を覆うように配置された板状コア２０とを備えている。
【００３１】
図２に示すようにドラムコア１０は、長手方向に直交する断面が略長方形の巻芯部１１と、巻芯部１１の長手方向両端に設けられた同一形状の一対の鍔部１２、１２とを有している。巻芯部１１には２本の導線３１、３２が巻回されている。ドラムコア１０の両端に位置している鍔部１２、１２は同一形状であるため、以下特に明記しない限り一方の鍔部１２のみ説明する。また、巻芯部１１の軸心が指向する方向たる長手方向をＸ軸方向と定義し、巻芯部１１の長手方向に直交する断面形状である略長方形の長手方向をＹ軸方向と定義し、Ｘ軸方向とＹ軸方向とに直交する方向をＺ軸方向と定義して説明する。更に、図１の略左下から略右上に向かう方向をＸ軸＋方向と定義し、その逆の方向をＸ軸−方向と定義する。また、図１の略右下から略左上に向かう方向をＹ軸＋方向と定義し、その逆の方向をＹ軸−方向と定義する。また、図１の下から上に向かう方向をＺ軸＋方向と定義し、その逆の方向をＺ軸−方向と定義する。Ｘ軸方向におけるドラムコア１０の寸法は略３．２ｍｍ程度であり、Ｙ軸方向におけるドラムコア１０の寸法は略２．５ｍｍ程度であり、Ｚ軸方向におけるドラムコア１０の寸法は略１．５ｍｍ程度である。
【００３２】
鍔部１２、１２は、Ｘ軸方向における巻芯部１１の両端に巻芯部１１と一体で設けられている。鍔部１２は略直方体形状をなしており、板状コア対向面１２Ａ、実装面１２Ｂ、第１の側面１２Ｃ、第２の側面１２Ｄ、外端面１２Ｅ、内端面１２Ｆの６つの面を有している。板状コア対向面１２Ａと実装面１２Ｂとは平行の位置関係をなしＸＹ平面に平行の位置関係をなしている。第１の側面１２Ｃと第２の側面１２Ｄとは平行の位置関係をなしＸＺ平面に平行の位置関係をなしている。また、外端面１２Ｅと内端面１２Ｆとは平行の位置関係をなしＹＺ平面に平行の位置関係をなしている。
【００３３】
実装面１２ＢのＹ軸方向の両端部には、それぞれ凹部１２ａが形成されている。凹部１２ａはより具体的には切欠き部からなり、外端面１２Ｅから内端面１２Ｆに至るまで、略直方体の外面を規定する第１の側面１２Ｃと実装面１２Ｂとの接続部分、第２の側面１２Ｄと実装面１２Ｂとの接続部分がそれぞれ切り欠かれたような形状をなしている。即ち、巻芯部１１の軸方向に直交する面で切った断面が略長方形状をなす鍔部１２の、実装面１２Ｂに相当する当該長方形の一の辺の両端の角を切欠いたような形状をなしている。鍔部１２の一部であって凹部１２ａを画成する部分は縦壁１２Ｇと横壁１２Ｈとにより構成されており、縦壁１２Ｇは第１の側面１２Ｃ及び第２の側面１２Ｄに平行な位置関係をなし、横壁１２Ｈは板状コア対向面１２Ａ及び実装面１２Ｂに平行な位置関係をなしている。
【００３４】
また、鍔部１２の外端面１２ＥにはＴ字状突出部１２Ｉが設けられている。Ｔ字状突出部１２Ｉは、図２に示すように、Ｘ軸方向において巻芯部１１から離間する方向へ突出しており、同方向への突出量はＴ字状をなしている全ての部分において同一である。突出量は、後述の金属端子４１、４２の端面部４１Ｂ、４２Ｂの面であって後述のように鍔部１２に接着された面とは反対の面と面一となる量であるか、又は当該反対の面よりもＸ軸方向において巻芯部１１から離間する方向へ突出する量である。
【００３５】
導線３１、３２は、それぞれ絶縁被覆された銅線により構成されており、導線３１が巻芯部１１に巻回されたその上に導線３２が巻回されたいわゆる２層巻で巻芯部１１に巻回されている。導線３１、３２は、巻芯部１１の一部であって鍔部１２に接続されている接続部付近より引き出されて、凹部１２ａへ向かって延びている。導線３１、３２の一端部、他端部は、計４つの凹部１２ａの近傍にそれぞれ１つずつ配置され、凹部１２ａ近傍であってＸ軸方向における凹部１２ａに対向する位置において後述の金属端子４１、４２と電気的に接続されて継線部３１Ａ、３２Ａをなしている。継線部３１Ａ、３２Ａは、導線３１、３２の一端部、他端部が後述の金属端子４１、４２にレーザ溶接されることにより金属端子４１、４２の一部とともに溶接玉を構成する。
【００３６】
鍔部１２には、それぞれ金属端子４１、４２が設けられている。金属端子４１、４２は、鍔部１２の外端面１２Ｅ及び実装面１２Ｂに跨って配置されている。金属端子４１及び金属端子４２は、それぞれリン青銅からなる一枚の板状の金属板が打ち抜きにより切断され折り曲げられて構成された端子金具からなる。従って、金属端子４１及び金属端子４２は、折り曲げられる前の状態に戻した場合には、一枚の板状の金属板となる。金属端子４１及び金属端子４２の一方の面は図示せぬ実装基板と接合され、当該一方の面にはニッケル及びスズのメッキが施されている。また一方の面に対する他方の面は、鍔部１２に接着されており、他方の面においてはリン青銅がそのまま露出している。金属端子４１と金属端子４２とは鏡面対称形状をなしているため、以下特に明記しない限り金属端子４１についてのみ説明し、金属端子４２については説明を省略する。
【００３７】
金属端子４１、４２は、図３に示すように、それぞれ板状をなす実装部４１Ａ、４２Ａと端面部４１Ｂ、４２Ｂとを有している。実装部４１Ａ、４２Ｂは略長方形状をなし、鍔部１２の実装面１２Ｂの一部であってＹ軸＋方向の端部及びＹ軸−方向の端部に配置され接着剤によって鍔部１２に固着されている。
【００３８】
実装部４１Ａには、導線保持部４１Ｃが実装部４１Ａと一体で設けられている。導線保持部４１Ｃは金属端子４１を構成する端子金具の一部からなる折り曲げ片により構成されている。折り曲げ片はより具体的には、実装部４１Ａから凹部１２ａ内へ延出し、縦壁１２Ｇ上においてＺ軸＋方向へ向かって延出している部分４１Ｃ−１と、その延出端から略Ｚ軸−方向へ折り返された部分４１Ｃ−２とにより構成されており、凹部１２ａ内に収容されている。当該Ｚ軸＋方向へ向かって延出する部分とＺ軸−方向へ折り返された部分とで導線３２の一端部近傍、他端部近傍を挟持し保持する。
【００３９】
端面部４１Ｂは、略長方形状をなす実装部４１Ａの一の辺の部分に一体で設けられており、実装部４１Ａに対して直交する位置関係をなす。端面部４１Ｂは、Ｚ軸方向に長手方向が指向する略長方形状をなす端面部基部４１Ｄと、端面部基部４１ＤからＹ軸方向へ延出する略長方形状の端面部延出部４１Ｅとを有している。端面部基部４１Ｄと端面部延出部４１Ｅとで略Ｌ字を逆にした形状をなし、図１に示すように、端面部４１Ｂは外端面１２Ｅ上において凹部１２ａの周囲を囲むように外端面１２Ｅに接着されて配置されている。
【００４０】
Ｙ軸方向へ指向する端面部延出部４１Ｅの一部であってＺ軸−方向の端部には、電極継線部４１Ｆが設けられている。電極継線部４１Ｆは、巻芯部１１から離間する方向へ当該部分から延出して設けられており、導線３１、３２の一端部、他端部を溶接する前の状態では先端が２股に分岐して略Ｙ字形状をなしている。図４に示すように、導線保持部４１Ｃの部分４１Ｃ−１と部分４１Ｃ−２との間に導線３２が配置され、導線３２を挟むように導線保持部４１Ｃの部分４１Ｃ−２が折り曲げられることにより導線３２が部分４１Ｃ−１と部分４１Ｃ−２とで挟持される。そして、電極継線部４１Ｆには、図４（ｂ）の二点鎖線の○で囲まれた箇所に対して図４（ａ）の矢印で示すように導線３２と電極継線部４１Ｆとに対して同時にレーザ照射がなされてレーザ溶接されることにより、導線３１、３２の一端部又は他端部がそれぞれ１つずつ電極継線部４１Ｆに電気的に接続され継線されている。
【００４１】
板状コア２０は、Ｚ軸方向に厚みを有する略長方形状の板状をなしている。従って板状コア２０は、ドラムコア１０側に端面２０Ａを有しており、当該端面２０ＡはＸＹ平面に平行な位置関係をなしている。板状コア２０がドラムコア１０上に載置されている状態では、端面２０Ａと板状コア対向面１２Ａの全面とは接着剤を介して接触し互いに固定されている。
【００４２】
上述のようなコイル部品１の金属端子４１、４２が図示せぬ実装基板の導電パターンにはんだ付けされることによりコイル部品１が実装基板２（図５）上に実装されたときには、図５に示すように、はんだフィレット２Ａが金属端子４２の端面部４２Ｂのみならず導線保持部４２Ｃ及び導線保持部４２Ｃの周辺にまでも引かれた状態となる。金属端子４１についても同様である。
【００４３】
鍔部１２の実装面１２Ｂには板状コア対向面１２Ａの方向へ窪んだ凹部１２ａが形成され、金属端子４１、４２は、鍔部１２の実装面１２Ｂに配置された実装部４１Ａと、実装部４１Ａから凹部１２ａ内へ延出し凹部１２ａ内に配置されて導線３１、３２を保持する導線保持部４１Ｃとを有し、全ての継線部３１Ａ、３２Ａは凹部１２ａ近傍に配置されているため、導線３１、３２の継線部３１Ａ、３２Ａを板状コア対向面１２Ａ上に配置させずに済み、継線部３１Ａ、３２Ａの存在により板状コア対向面１２Ａの一部であって板状コア２０に固着され接触する部分の面積が小さくなることを回避することができる。
【００４４】
また、導線保持部４１Ｃは、実装部４１Ａと一体で構成され凹部１２ａ内において折り曲げられた端子金具の一部からなる折り曲げ片により構成されるため、折り曲げ片からなる簡単な構成で導線３１、３２を保持することができる。
【００４５】
また、折り曲げ片は、縦壁１２Ｇ上において折り曲げられているため、折り曲げ片を凹部１２ａ内に配置させることができ、且つ縦壁１２Ｇ上に配置させることができる。このため、寸法交差を気にせず折り曲げ片を配置でき、また、折り曲げ片と鍔部１２との間に間隙が形成されず、これらのことにより安定して導線３１、３２を保持することができる。
【００４６】
また、金属端子４１は、巻芯部１１の軸方向における鍔部１２の外端面１２Ｅに配置された端面部４１Ｂを有するため、コイル部品１を実装基板に実装したときに端面部４１Ｂにはんだフィレットを形成することができる。
【００４７】
また、端面部４１Ｂは、鍔部１２の外端面１２Ｅ上においてＺ軸方向に延出する端面部基部４１Ｄと、Ｙ軸方向へ端面部基部４１Ｄから延出する端面部延出部４１Ｅとを有するため、端面部４１Ｂの面積をより大きくすることができ、鍔部１２の外端面１２Ｅとの接着面積をより大きくすることができる。このためより強固に金属端子４１を鍔部１２に固定することができる。
【００４８】
また、Ｔ字状突出部１２Ｉは巻芯部１１の軸方向において巻芯部１１から離間する方向へ突出しているため、突出している分だけ板状コア対向面１２Ａの面積が大きくなり、板状コア対向面１２Ａの板状コア２０との接触面積を大きくすることができる。この結果、コイル部品１に要求される所望のインダクタンス特性やインピーダンス特性を得ることができる。また、ドラムコア１０のボリュームアップを図ることができる。また、コイル部品１の製造の際に、当該突出している部分を、金属端子４１の位置決めをするための部分とすることができる。
【００４９】
また、鍔部１２は巻芯部１１の軸方向に直交する面で切った断面が長方形状をなし長方形の一の辺が実装面１２Ｂを構成し、凹部１２ａは、長方形の一の辺の両端の角を切欠いた形状をなしているため、当該切欠かれた部分を通して導線３１、３２を巻芯部１１から金属端子４１、４２へ引き出すことができ、導線３１、３２を巻芯部１１から金属端子４１、４２へ引き出す作業を容易とすることができる。
【００５０】
また、金属端子４１、４２の一部であって継線部３１Ａ、３２Ａが電気的に接続されて継線された部分は、端面部延出部４１Ｅ、４２Ｅから延出した金属端子４１、４２の部分からなるため、金属端子４１、４２が複雑で込み入った構造となることを回避することができる。このため実装部４１Ａ、４２Ａに対して金属端子４１、４２が安定して配置された構成とすることができ、金属端子４１、４２に導線３１、３２の一端部、他端部をレーザ溶接して電気的に接続して継線する際に、安定して溶接部を形成することができる。
【００５１】
次に、本発明の第２の実施の形態によるコイル部品について図６〜図８を参照しながら説明する。第２の実施の形態に係るコイル部品１０１は、鍔部１１２の形状及び金属端子１４１、１４２の形状が第１の実施の形態に係るコイル部品１の鍔部１２の形状及び金属端子４１、４２の形状とは異なる。これ以外の構成は第１の実施の形態に係るコイル部品１の構成と同一であるため、同一の構成については同一の符号を用いて図示し説明を省略する。
【００５２】
鍔部１１２の外端面１１２Ｅには、第１の実施の形態におけるＴ字状突出部１２Ｉに代えて、図７に示すようにＩ字状長突出部１１２Ｉと一対のＩ字状短突出部１１２Ｊ、１１２Ｊとが設けられている。Ｉ字状長突出部１１２Ｉは、Ｙ軸方向における鍔部１１２の中央位置において、鍔部１１２のＺ軸方向の−側端部から＋側端部に至るまで設けられている。また、一対のＩ字状短突出部１１２Ｊ、１１２Ｊは、それぞれＹ軸方向における鍔部１１２の＋側端位置、−側端位置において、鍔部１１２のＺ軸方向の＋側端部からＺ軸−方向へ向かって凹部１２ａに至るまで設けられている。Ｉ字状長突出部１１２Ｉ、Ｉ字状短突出部１１２Ｊは、図６に示すように、Ｘ軸方向において巻芯部１１から離間する方向へ突出しており、同方向への突出量はそれぞれＩ字状をなしている全ての部分において同一である。
【００５３】
鍔部１１２の板状コア対向面１１２Ａには、実装面１２Ｂの方向へ窪んだ対向面凹部１１２ｂ、１１２ｂが形成されている。対向面凹部１１２ｂ、１１２ｂは、板状コア対向面１１２Ａの一部であって、Ｚ軸方向において後述の金属端子１４１、１４２の実装部１４１Ａ、１４２Ａが配置される実装面１２Ｂの部分に対向する部分にそれぞれ形成されている。対向面凹部１１２ｂ、１１２ｂの中央には、実装面１２Ｂの方向へ更に窪んだ係合凹部１１２ｃ、１１２ｃがそれぞれ１つずつ形成されている。また、鍔部１１２の実装面１２Ｂの一部であって後述の金属端子１４１、１４２の実装部１４１Ａ、１４２Ａに対向する部分には、板状コア対向面１１２Ａの方向へ窪んだ図示せぬ係合凹部が形成されている。
【００５４】
金属端子１４１、１４２は、図８に示すように、それぞれ板状をなす実装部１４１Ａ、１４２Ａと端面部１４１Ｂ、１４２Ｂと被係止部１４１Ｇ、１４２Ｇとを有している。実装部１４１Ａ、１４２Ａは略長方形状をなし、鍔部１１２の実装面１２Ｂの一部であってＹ軸＋方向の端部上及びＹ軸−方向の端部上に配置されている。
【００５５】
実装部１４１Ａ、１４２Ａには、保持部継線部基部１４１Ｈ、１４２Ｈと導線保持部先端部１４１Ｃ、１４２Ｃと電極継線部１４１Ｆ、１４２Ｆとが実装部１４１Ａ、１４２Ａと一体で設けられている。保持部継線部基部１４１Ｈ、１４２Ｈは、実装部１４１Ａ、１４２Ａから凹部１２ａ内へ延出し、縦壁１２Ｇ上においてＺ軸＋方向へ向かって延出している。そして、２つに分岐して導線保持部先端部１４１Ｃ、１４２Ｃと電極継線部１４１Ｆ、１４２Ｆとなり、これらはＺ軸−方向へ折り返されて凹部１２ａ内に収容されている。
【００５６】
導線保持部先端部１４１Ｃ、１４２Ｃと保持部継線部基部１４１Ｈ、１４２Ｈとで導線３１、３２の一端部近傍、他端部近傍を挟持し保持する。導線保持部先端部１４１Ｃ、１４２Ｃ、保持部継線部基部１４１Ｈ、１４２Ｈは、導線保持部、折り曲げ片に相当する。また、導線３１、３２の一端部、他端部と溶接される前の状態の電極継線部１４１Ｆ、１４２Ｆは、導線保持部先端部１４１Ｃ、１４２ＣよりもＸ軸方向に長く構成されている。電極継線部１４１Ｆ、１４２Ｆには、導線３１、３２の一端部又は他端部がそれぞれ１つずつレーザ溶接されることにより導線３１、３２の一端部又は他端部が電気的に接続され継線されている。また、Ｚ軸＋方向側の実装部１４１Ａ、１４２Ａの面には凸部１４１Ｋ、１４２Ｋが設けられており、鍔部１１２の実装面１２Ｂ上に実装部１４１Ａ、１４２Ａが配置されているときに凸部１４１Ｋ、１４２Ｋは鍔部１１２の図示せぬ係合凹部に係合する。
【００５７】
端面部１４１Ｂ、１４２Ｂは、略長方形状をなす実装部１４１Ａ、１４２Ａの一の辺の部分にそれぞれ一体で設けられており、実装部１４１Ａ、１４２Ａに対してそれぞれ直交する位置関係をなす。端面部１４１Ｂ、１４２Ｂは、それぞれＺ軸方向に長手方向が指向する略長方形状をなす端面部基部１４１Ｄ、１４２Ｄからなり、鍔部１１２の外端面１１２ＥのＺ軸−方向端部からＺ軸＋方向端部に至るまで外端面１１２Ｅ上に帯状に配置されている。鍔部１１２の外端面１１２Ｅにおいて端面部１４１Ｂ、１４２Ｂが配置されている部分以外の部分には、前述のＩ字状長突出部１１２Ｉ、Ｉ字状短突出部１１２Ｊが配置されている。
【００５８】
被係止部１４１Ｇ、１４２Ｇは、端面部１４１Ｂ、１４２ＢのＺ軸＋方向端部において端面部１４１Ｂ、１４２Ｂと一体で設けられている。被係止部１４１Ｇ、１４２Ｇは、端面部１４１Ｂ、１４２ＢからＸ軸方向であって巻芯部１１に近づく方向に延出しており、Ｚ軸−方向側の面には凸部１４１Ｌ、１４２Ｌが設けられている。凸部１４１Ｌ、１４２Ｌは、鍔部１１２の板状コア対向面１１２Ａの対向面凹部１１２ｂ、１１２ｂに被係止部１４１Ｇ、１４２Ｇが係合しているときに、鍔部１１２の係合凹部１１２ｃ、１１２ｃに係合する。このこと及び凸部１４１Ｋ、１４２Ｋが鍔部１１２の図示せぬ係合凹部に係合することにより、金属端子１４１、１４２は鍔部１１２に係止され固定されている。
【００５９】
被係止部１４１Ｇ、１４２Ｇは、板状コア対向面１１２Ａの一部であって対向面凹部１１２ｂ、１１２ｂが形成されている部分以外の部分よりもＺ軸＋方向へ突出しておらず、対向面凹部１１２ｂ、１１２ｂ内に収容されている。また、Ｙ軸方向における被係止部１４１Ｇ、１４２Ｇの幅は同方向における端面部１４１Ｂ、１４２Ｂの幅よりも小さく、被係止部１４１Ｇ、１４２Ｇの面積は実装面１２Ｂ上における実装部１４１Ａ、１４２Ａの面積よりも小さい。
【００６０】
また、金属端子１４１、１４２は被係止部１４１Ｇ、１４２Ｇを有し、被係止部１４１Ｇ、１４２Ｇの面積は実装部１４１Ａ、１４２Ａの面積よりも小さいため、被係止部１４１Ｇ、１４２Ｇの存在により板状コア対向面１１２Ａの一部であって板状コア２０に固着され接触する部分の面積が小さくなることを極力回避することができる。
【００６１】
また、鍔部１１２の板状コア対向面１１２Ａには実装面１２Ｂの方向へ窪んだ対向面凹部１１２ｂ、１１２ｂが形成され、被係止部１４１Ｇ、１４２Ｇは対向面凹部１１２ｂ、１１２ｂ内に収容されているため、板状コア２０の方向へ被係止部１４１Ｇ、１４２Ｇが板状コア対向面１１２Ａから突出して板状コア２０に当接することを防止することができる。このため、板状コア対向面１１２Ａの一部であって対向面凹部１１２ｂ、１１２ｂ以外の部分の全体で板状コア２０に接触することができる。
【００６２】
また、金属端子１４１、１４２の一部であって継線部３１Ａ、３２Ａが電気的に接続されて継線された部分は、実装部１４１Ａ、１４２Ａから延出した金属端子１４１、１４２の部分からなるため、電極継線部１４１Ｆ、１４２Ｆと継線部３１Ａ、３２Ａとが溶融してなる溶接玉と、導線保持部先端部１４１Ｃ、１４２Ｃと、保持部継線部基部１４１Ｈ、１４２Ｈと、を凹部１２ａ内に配置させることができる。
【００６３】
本発明によるコイル部品は、上述した実施の形態に限定されず、特許請求の範囲に記載した範囲で種々の変形や改良が可能である。例えば、第１の実施の形態によるコイル部品１の金属端子４１、４２は、第２の実施の形態のような被係止部１４１Ｇ、１４２Ｇを有していなかったが、図９に示すように第２の実施の形態と同様に、端面部２４１Ｂ、２４２Ｂの端面部基部２４１Ｄ、２４２Ｄが、鍔部２１２の外端面２１２ＥのＺ軸−方向端からＺ軸＋方向端に至るまで外端面２１２Ｅ上に帯状に配置されて設けられ、端面部２４１Ｂ、２４２ＢのＺ軸＋方向端部に被係止部２４１Ｇ、２４２Ｇが端面部２４１Ｂ、２４２Ｂと一体で設けられた構成のコイル部品２０１としてもよい。被係止部２４１Ｇ、２４２Ｇは、第２の実施の形態と同様に、端面部２４１Ｂ、２４２ＢからＸ軸方向であって巻芯部１１に近づく方向に延出しており、図示せぬ板状コア対向面の図示せぬ対向面凹部に係合し、鍔部２１２に係止され固定されている。
【００６４】
また、金属端子の形状は上述した金属端子４１、４２、１４１、１４２の形状に限定されない。例えば、図１０に示す金属端子２４１のように、第１の実施の形態における金属端子４１の電極継線部４１Ｆに代えて、電極継線部２４１Ｆを実装部４１Ａから延出する構成としてもよい。
【００６５】
より具体的には、図１１等に示すように、導線保持部２４１ＣはＸ軸方向の幅が短く構成されており、実装部４１Ａの一部であってＸ軸−方向端部寄りの部分から電極継線部２４１ＦがＺ軸＋方向へ延出している。そして、電極継線部２４１ＦはＸＹ平面と平行となるように折り曲げられており、当該折り曲げられた箇所よりも延出端側の部分は、Ｘ軸−方向へ更に延出し、端面部４１ＢよりもＸ軸−方向の位置において２つに分岐し、更にＸ軸−方向且つＺ軸−方向へ延出している。
【００６６】
導線３２が電極継線部２４１Ｆに継線される際には、導線保持部２４１Ｃの部分２４１Ｃ−１と部分２４１Ｃ−２との間に導線３２が配置され、導線３２を挟むように導線保持部２４１Ｃが折り曲げられることにより導線３２が部分２４１Ｃ−１と部分２４１Ｃ−２とで挟持される。また、導線３２は、電極継線部２４１Ｆの一部であってＸＹ平面と平行な部分のＺ軸−側に対向配置され、第１の実施の形態と同様に、電極継線部２４１Ｆの一部であって２つに分岐している部分と導線３２とに対して同時にレーザ照射がなされてレーザ溶接されることにより、導線３１、３２の一端部又は他端部がそれぞれ１つずつ電極継線部２４１Ｆに電気的に接続され継線される。
【００６７】
また、導線３１、３２の一端部、他端部は、凹部１２ａ近傍であってＸ軸方向における凹部１２ａに対向する位置において金属端子４１、４２と電気的に接続されて継線部３１Ａ、３２Ａをなしていたが、凹部１２ａ内で金属端子４１、４２と電気的に接続されて継線部３１Ａ、３２Ａをなしていてもよい。
【００６８】
また、金属端子４１、４２の一方の面にはニッケル及びスズのメッキが施され、他方の面においてはリン青銅がそのまま露出していたが、この構成に限定されない。例えば、金属端子４１、４２を構成する端子金具の全面に予めめっきが施されていてもよい。
【００６９】
また、導線３１、３２の一端部、他端部はレーザ溶接により金属端子４１、４２に電気的に接続されて継線されていたが、電気的に接続して継線する方法はこの方法に限定されない。例えば、アーク溶接が用いられてもよい。
【００７０】
また、導線３１、３２は、導線３１が巻芯部１１に巻回されたその上に導線３２が巻回されたいわゆる２層巻で巻芯部１１に巻回されていたが、この巻回方法に限定されない。例えば、２本の導線を同時に平行に巻芯部１１に巻回する巻回方法でもよい。
【００７１】
また、凸部１４１Ｌ、１４２Ｌが鍔部１１２の係合凹部１１２ｃ、１１２ｃに係合し、凸部１４１Ｋ、１４２Ｋが鍔部１１２の図示せぬ係合凹部に係合することにより、金属端子１４１、１４２は鍔部１１２に係止され固定されていたが、さらに、接着剤を用いてより強固に金属端子１４１、１４２を鍔部１１２に固定してもよい。
【産業上の利用可能性】
【００７２】
本発明は、特にドラムコアの鍔部に板状コアが接触するようにして固定される小型のコイル部品の分野において特に有用である。
【符号の説明】
【００７３】
１            コイル部品
１０          ドラムコア
１１          巻芯部
１２、１１２            鍔部
１２Ａ        板状コア対向面
１２Ｂ        実装面
１２Ｅ        外端面
１２Ｇ        縦壁
１２Ｉ        Ｔ字状突出部
１２ａ        凹部
２０          板状コア
３１、３２              導線
３１Ａ、３２Ａ          継線部
４１、４２、１４１、１４２、２４１              金属端子
４１Ａ、１４１Ａ、１４２Ａ            実装部
４１Ｂ、１４１Ｂ、１４２Ｂ            端面部
４１Ｃ、１４１Ｃ、１４２Ｃ、２４１Ｃ            導線保持部
４１Ｄ        端面部基部
４１Ｅ        端面部延出部
４１Ｆ、１４１Ｆ、１４２Ｆ、２４１Ｆ            電極継線部
１１２ｂ、１１２ｂ      対向面凹部
１１２Ｉ      Ｉ字状長突出部
１１２Ｊ、１１２Ｊ      Ｉ字状短突出部
１４１Ｃ、１４２Ｃ      導線保持部先端部
１４１Ｇ、１４２Ｇ      被係止部
【図１】
0005156076.tif 000002
【図２】
0005156076.tif 000003
【図３】
0005156076.tif 000004
【図４】
0005156076.tif 000005
【図５】
0005156076.tif 000006
【図６】
0005156076.tif 000007
【図７】
0005156076.tif 000008
【図８】
0005156076.tif 000009
【図９】
0005156076.tif 000010
【図１０】
0005156076.tif 000011
【図１１】
0005156076.tif 000012